(57)【特許請求の範囲】
【請求項１】
防災機器収納装置であって、
防災機器を収納する収納室を有する筐体と、
前記収納室を開閉するために前記筐体に設けられている第１開閉扉と、
前記筐体における前記第１開閉扉と隣接する位置に設けられている第２開閉扉であって、前記収納室を開閉するための前記第２開閉扉と、
前記第１開閉扉及び前記第２開閉扉を閉じた場合に、前記収納室に対する少なくとも前記第１開閉扉の閉鎖状態を維持するための複数種類の閉鎖状態維持手段と、を備え、
前記複数種類の閉鎖状態維持手段は、前記第１開閉扉の閉鎖状態を段階的に解除するように構成されており、
前記複数種類の閉鎖状態維持手段は、
前記第１開閉扉側に設けられている第１開閉扉側磁性体と、前記第２開閉扉側に設けられている第２開閉扉側磁性体と、前記筐体側に設けられている筐体側磁性体であって、前記第１開閉扉及び前記第２開閉扉を閉じた場合に、前記第１開閉扉側磁性体及び前記第２開閉扉側磁性体と引き合って前記第１開閉扉側磁性体及び前記第２開閉扉側磁性体に当接することにより前記第１開閉扉及び前記第２開閉扉の閉鎖状態を維持する前記筐体側磁性体とを有する第１閉鎖状態維持手段と、
前記第１開閉扉側に設けられている第１係合体と、前記第２開閉扉側に設けられている第２係合体であって、前記第１開閉扉及び前記第２開閉扉を閉じた場合に、前記第１係合体と係合することにより前記第１開閉扉の閉鎖状態を維持する前記第２係合体とを有する第２閉鎖状態維持手段と、備え、
前記第１開閉扉及び前記第２開閉扉は、前記防災機器収納装置の正面側から見て一部が互いに重なり合うように設けられており、
前記第１開閉扉及び前記第２開閉扉における互いに重なり合う部分の少なくとも一部は、傾斜面となっている、
防災機器収納装置。
【請求項２】
前記第１閉鎖状態維持手段及び前記第２閉鎖状態維持手段は、前記第１開閉扉及び前記第２開閉扉を閉じた状態において、前記第１開閉扉を開く場合に、前記第１開閉扉側磁性体と前記筐体側磁性体とが互いに離れた後に、前記第１係合体と前記第２係合体とが互いに外れるように構成されている、
請求項１に記載の防災機器収納装置。
【請求項３】
前記第２開閉扉は、前記第１開閉扉を開いている場合にのみ開閉できるように構成されている、
請求項１又は２に記載の防災機器収納装置。
【請求項４】
前記第１係合体は、前記第１開閉扉における前記第２開閉扉と重なり合う部分に設けられており、
前記第２係合体は、前記第２開閉扉における前記第１開閉扉と重なり合う部分に設けられている、
請求項１から３のいずれか一項に記載の防災機器収納装置。
【請求項５】
前記第１開閉扉を開閉するための把手、を備え、
前記把手は、前記複数種類の閉鎖状態維持手段における１つの閉鎖状態維持手段が設けられている位置に対応する位置に設けられている、
請求項１から４のいずれか一項に記載の防災機器収納装置。
【発明の詳細な説明】
【技術分野】
【０００１】
本発明は、防災機器収納装置に関する。
【背景技術】
【０００２】
従来から、トンネル内に設置される消火栓装置が知られている（例えば、特許文献１参照）。この消火栓装置は、消火用ホースの如き防災機器を収納する筐体と、当該筐体に設けられている開閉扉とを備え、開閉扉は、当該開閉扉に設けられているマグネットと、前述の筐体に設けられているマグネットとの間の磁力（ここでは、吸引力）によって、閉じた状態を維持できるように構成されていた。
【先行技術文献】
【特許文献】
【０００３】
【特許文献１】特開２０１１−１４７７０３号公報
【発明の概要】
【発明が解決しようとする課題】
【０００４】
しかしながら、上記従来の消火栓装置においては、トンネルを通過する車両による風圧の如き外力が開閉扉に付与された場合、当該外力に基づいて、意図に反して開閉扉が開いてしまう可能性があった。このような問題を解決するためには、開閉扉及び筐体に設けられているマグネットの磁力を強くすることも考えられるが、当該マグネットの磁力を強くした場合、マニュアル操作により消火栓装置の開閉扉を開き難くなるという、新たな問題が生じる可能性があった。
【０００５】
本発明は、上記に鑑みてなされたものであって、開閉扉の閉鎖状態を確実に維持し、且つ、マニュアル操作により容易に開くことが可能になる、防災機器収納装置を提供することを目的とする。
【課題を解決するための手段】
【０００６】
上述した課題を解決し、目的を達成するために、請求項１に記載の防災機器収納装置は、防災機器収納装置であって、防災機器を収納する収納室を有する筐体と、前記収納室を開閉するために前記筐体に設けられている第１開閉扉と、前記筐体における前記第１開閉扉と隣接する位置に設けられている第２開閉扉であって、前記収納室を開閉するための前記第２開閉扉と、前記第１開閉扉及び前記第２開閉扉を閉じた場合に、前記収納室に対する少なくとも前記第１開閉扉の閉鎖状態を維持するための複数種類の閉鎖状態維持手段と、を備え、前記複数種類の閉鎖状態維持手段は、前記第１開閉扉の閉鎖状態を段階的に解除するように構成されており、前記複数種類の閉鎖状態維持手段は、前記第１開閉扉側に設けられている第１開閉扉側磁性体と、前記第２開閉扉側に設けられている第２開閉扉側磁性体と、前記筐体側に設けられている筐体側磁性体であって、前記第１開閉扉及び前記第２開閉扉を閉じた場合に、前記第１開閉扉側磁性体及び前記第２開閉扉側磁性体と引き合って前記第１開閉扉側磁性体及び前記第２開閉扉側磁性体に当接することにより前記第１開閉扉及び前記第２開閉扉の閉鎖状態を維持する前記筐体側磁性体とを有する第１閉鎖状態維持手段と、前記第１開閉扉側に設けられている第１係合体と、前記第２開閉扉側に設けられている第２係合体であって、前記第１開閉扉及び前記第２開閉扉を閉じた場合に、前記第１係合体と係合することにより前記第１開閉扉の閉鎖状態を維持する前記第２係合体とを有する第２閉鎖状態維持手段と、備え前記第１開閉扉及び前記第２開閉扉は、前記防災機器収納装置の正面側から見て一部が互いに重なり合うように設けられており、前記第１開閉扉及び前記第２開閉扉における互いに重なり合う部分の少なくとも一部は、傾斜面となっている。
【０００９】
請求項２に記載の防災機器収納装置は、請求項１に記載の防災機器収納装置において、前記第１閉鎖状態維持手段及び前記第２閉鎖状態維持手段は、前記第１開閉扉及び前記第２開閉扉を閉じた状態において、前記第１開閉扉を開く場合に、前記第１開閉扉側磁性体と前記筐体側磁性体とが互いに離れた後に、前記第１係合体と前記第２係合体とが互いに外れるように構成されている
【００１０】
請求項３に記載の防災機器収納装置は、請求項１又は２に記載の防災機器収納装置において、前記第２開閉扉は、前記第１開閉扉を開いている場合にのみ開閉できるように構成されている。
【００１１】
請求項４に記載の防災機器収納装置は、請求項１から３のいずれか一項に記載の防災機器収納装置において、前記第１係合体は、前記第１開閉扉における前記第２開閉扉と重なり合う部分に設けられており、前記第２係合体は、前記第２開閉扉における前記第１開閉扉と重なり合う部分に設けられている。
【００１２】
請求項５に記載の防災機器収納装置は、請求項１から４のいずれか一項に記載の防災機器収納装置において、前記第１開閉扉を開閉するための把手、を備え、前記把手は、前記複数種類の閉鎖状態維持手段における１つの閉鎖状態維持手段が設けられている位置に対応する位置に設けられている。
【発明の効果】
【００１３】
請求項１に記載の防災機器収納装置によれば、第１開閉扉の閉鎖状態を維持するための閉鎖状態維持手段を複数種類備えているので、例えば、各閉鎖状態維持手段が開閉扉の閉鎖状態を維持することができる力の合計の大きさに相当する外力に対応することができ、第１開閉扉の閉鎖状態を確実に維持することが可能になる。また、複数種類の閉鎖状態維持手段は、第１開閉扉の閉鎖状態を段階的に解除するように構成されているので、例えば、第１開閉扉を開くために、各閉鎖状態維持手段が開閉扉の閉鎖状態を維持することができる力の合計の大きさに対応する力を一度にかけずに、当該合計の大きさよりも小さな力を用いて、消火栓装置の開閉扉を開くことができ、マニュアル操作により容易に開くことが可能になる。
また、複数種類の閉鎖状態維持手段が、第１開閉扉側磁性体及び筐体側磁性体を有する第１閉鎖状態維持手段を備えているので、例えば、第１開閉扉側磁性体と筐体側磁性体との間の磁力により、第１開閉扉の閉鎖状態を確実に維持することが可能になる。
また、複数種類の閉鎖状態維持手段が、第１係合体及び第２係合体を有する第２閉鎖状態維持手段を備えているので、例えば、第１係合体と第２係合体との間の係合（つまり、引掛り）により、第１開閉扉の閉鎖状態を確実に維持することが可能になる。
また、第１開閉扉及び第２開閉扉は、一部が互いに重なり合うように設けられているので、例えば、当該重なり合う部分同士を当接させることにより、第１開閉扉及び第２開閉扉の双方が閉じている場合において第２開閉扉が開かれるのを規制することができ、第１開閉扉の閉鎖状態と共に第２開閉扉の閉鎖状態も維持することが可能になる。
【００１６】
請求項２に記載の防災機器収納装置によれば、第１開閉扉を開く場合に、第１開閉扉側磁性体と筐体側磁性体とが互いに離れた後に、第１係合体と第２係合体とが互いに外れるように構成されているので、例えば、外力が付与されて、第１開閉扉側磁性体と筐体側磁性体とが互いに離れた場合においても、第１係合体と第２係合体との間の係合により、第１開閉扉の閉鎖状態を維持することが可能になり、また、付与された前述の外力が取り除かれた後、第１開閉扉側磁性体及び筐体側磁性体の間の磁力によって前述の外力が付与される前の状態（つまり、第１開閉扉側磁性体及び筐体側磁性体が互いに当接している状態）に自動的に復旧させることが可能になる。
【００１７】
請求項３に記載の防災機器収納装置によれば、第１開閉扉を開いている場合にのみ第２開閉扉を開閉できるように構成されているので、例えば、第１開閉扉及び第２開閉扉の双方が閉じている場合において第１開閉扉の閉鎖状態を維持することにより、第２開閉扉の閉鎖状態も維持することができ、第１開閉扉の閉鎖状態と共に第２開閉扉の閉鎖状態も維持することが可能になる。
【００１９】
請求項５に記載の防災機器収納装置によれば、第１開閉扉を開閉するための把手が、複数種類の閉鎖状態維持手段における１つの閉鎖状態維持手段が設けられている位置に対応する位置に設けられているので、例えば、防災機器収納装置のユーザが把手を用いて第１開閉扉を意図的に開閉する場合に、第１係合体と第２係合体を互いに係合したり外したりするための力を確実に伝達することができ、第１開閉扉をスムーズに開閉することが可能になる。
【図面の簡単な説明】
【００２０】
【図１】本発明の実施の形態に係る消火栓装置の正面図である。
【図２】図１の消火栓扉及び保守扉を取り除いた状態における消火栓装置の正面図である。
【図３】図１の消火栓扉を開いた状態における消火栓装置の一部の斜視図である。
【図４】消火栓装置の図であり、（ａ）は図３における消火栓装置の一部のＡ−Ａ矢視断面図であり、（ｂ）は図４（ａ）の消火栓扉側係合体及び保守扉側係合体を＋Ｚから−Ｚに向かって見た平面図である。
【図５】消火栓扉を閉じた状態の消火栓装置の図であり、（ａ）は図４（ａ）に対応する断面図であり、（ｂ）は図４（ｂ）に対応する平面図である。
【図６】変形例に係る消火栓装置の一部の斜視図である。
【図７】変形例に係る消火栓装置の一部の斜視図である。
【図８】変形例に係る消火栓扉を閉じた状態の消火栓装置の一部の断面図である。
【発明を実施するための形態】
【００２１】
以下、本発明に係る防災機器収納装置の実施の形態について図面を参照しつつ詳細に説明する。ただし、実施の形態によって本発明が限定されるものではない。
【００２２】
〔実施の形態の基本的概念〕
まずは、実施の形態の基本的概念について説明する。実施の形態は、概略的に、防災機器を収納する収納室を有する筐体と、収納室を開閉するために筐体に設けられている第１開閉扉と、第１開閉扉を閉じた場合に、収納室に対する第１開閉扉の閉鎖状態を維持するための複数種類の閉鎖状態維持手段とを備え、複数種類の閉鎖状態維持手段は、第１開閉扉の閉鎖状態を段階的に解除するように構成されている、防災機器収納装置に関するものである。
【００２３】
ここで、「防災機器」は、防災のために用いられる防災手段であり、例えば、消火用ホース、消火用ホースに供給される水を制御するためのバルブ、及び消火器等を含む概念である。また、「閉鎖状態維持手段」とは、扉の閉鎖状態を維持するためのものであり、例えば、磁力を用いて閉鎖状態を維持するもの、及び係合することにより閉鎖状態を維持するもの等を含む概念である。そして、この「閉鎖状態維持手段」については、閉鎖状態を維持する方式（例えば、上述の磁力を用いて閉鎖状態を維持するもの、係合することにより閉鎖状態を維持するもの等）、形状、又は閉鎖状態を維持する力の大きさ等の所定の基準に沿って定義された種類毎に分類することができるものである。つまり、「複数種類」とは、閉鎖状態維持手段を所定の基準に沿って分類したときの当該閉鎖状態維持手段の複数のまとまりであり、例えば、閉鎖状態を維持する方式（以下、第１基準）を基準に分類したときの複数のまとまり、形状（以下、第２基準）を基準に分類したときの複数のまとまり、閉鎖状態を維持する力の大きさ（以下、第３基準）を基準に分類したときの複数のまとまり、又は、第１〜第３基準のうちの任意の複数のものを基準に分類したときの複数のまとまり等を示している。また、「防災機器収納装置」は、防災機器を収納するための収納手段であり、例えば、消火用ホース、消火用ホースに供給される水を制御するためのバルブ、及び消火器のうちのいずれか１つのみ、又は、これらのうちの任意に選択した複数の装置を収納する消火栓装置等を含む概念である。また、「第１開閉扉の閉鎖状態を段階的に解除する」とは、第１開閉扉に設けられている複数種類の閉鎖状態維持手段を互いに非同時に解除することであり、複数種類の閉鎖状態維持手段を順次解除することである。また、「第１開閉扉の閉鎖状態を解除する」とは、第１開閉扉を自由に開くことが可能な状態にすることである。なお、本実施形態では、「防災機器」が「消火用ホース、及び消火用ホースに供給される水を制御するためのバルブ」であり、「防災機器収納装置」が「消火栓装置」であり、「閉鎖状態維持手段」として、磁力を用いて閉鎖状態を維持するもの、及び係合することにより閉鎖状態を維持するものの２種類を用いる場合について、説明する。
【００２４】
〔実施の形態の具体的内容〕
次に、実施の形態の具体的内容について説明する。
【００２５】
（構成）
まず、本実施の形態に係る消火栓装置の構成について説明する。図１は、本実施の形態に係る消火栓装置１００の正面図である。図２は、図１の消火栓扉２及び保守扉３を取り除いた状態における消火栓装置１００の正面図である。図３は、図１の消火栓扉２を開いた状態における消火栓装置１００の一部の斜視図である。なお、消火栓装置１００の内部及び側面には、実際には、各種装置が設けられているが、図３においては、当該各種装置の図示を省略する。また、消火栓装置１００の正面には、実際には、図１に示すように所定の文字及び図形等が付されているが、図３においては、当該文字及び図形等の図示を省略する。なお、以下の説明では、図１〜図３に示すＸ−Ｙ−Ｚ方向のうち、Ｘ方向を水平方向と称し、Ｚ方向を垂直方向と称し、＋Ｚ方向を上側又は上部と称し、−Ｚ方向を下側又は下部と称し、Ｙ方向を奥行方向と称し、＋Ｙ方向を奥側又は裏側と称し、−Ｙ方向を手前側又は表側と称する（後述の図４〜図８も同様とする）。
【００２６】
これら各図に示す消火栓装置１００は、防災機器４を収納する収納手段であって、防災としての消火のために用いられる装置であり、具体的には、図１に示す筐体１、消火栓扉２、保守扉３、図２に示す防災機器４、図３に示す第１維持部５、６、及び第２維持部７を備えている。
【００２７】
（構成−筐体）
図１に示す筐体１は、図２の防災機器４を収納するための収納手段であり、具体的には、内部に収納室１１が設けられているものであって、例えば、外形が矩形柱形状となるように形成されている金属製の部材である。ここで、「収納室」１１とは、防災機器４を収納するための領域であり、筐体１の内部に設けられている領域である。
【００２８】
（構成−消火栓扉）
図１に示す消火栓扉２は、筐体１に設けられている開閉手段であり、具体的には、収納室１１を開閉する第１開閉扉であり、例えば、図１に示すように、消火栓扉２の垂直方向（Ｚ軸方向）における下部（−Ｚ方向）において水平方向（Ｘ軸方向）に沿っている消火栓扉用軸部材２１を回動軸として回動して開閉するように構成されているものである。また、この消火栓扉２は、例えば、全体として矩形の平板形状を呈している金属製の部材であり、より詳細には、図３に示すように、当該消火栓扉２における上側（＋Ｚ方向）の端部に傾斜部２２を備える。傾斜部２２は、保守扉３が開くのを規制するための規制手段であり、具体的には、消火栓扉２及び保守扉３を閉じた場合に、保守扉３の一部と重なり合う消火栓扉２の一部である。この傾斜部２２は、後述する保守扉３の傾斜部３２と重なり合う形状であれば任意の形状となるように構成することができるが、例えば、図３に示すように、傾斜部２２における上側（＋Ｚ方向）に移動するにつれて、当該傾斜部２２における裏側（＋Ｙ方向）の面が当該傾斜部２２の表側（−Ｙ方向）の面に近づくように、当該裏側の面のみが傾斜する形状となるように構成することもできる。また、この消火栓扉２には、把手２３が備えられている。
【００２９】
把手２３は、消火栓扉２を開閉するための開閉手段であり、具体的には、消火栓装置１００のユーザが数本の指を引っ掛けるための凹部２３１を備えている。この把手２３は、消火栓扉２の表側（−Ｙ方向）における位置であって、第２維持部７が設けられている位置に対応する位置であれば任意の位置に設けることが可能であるが、例えば、図３に示すように、消火栓扉２を挟んで後述する消火栓扉側係合体７１の反対側に設けられているものとして、以下説明する。このように構成することにより、消火栓装置１００のユーザからの付与される力が、把手２３を介して第２維持部７に確実に伝達されることになり、消火栓扉２をスムーズに開閉することが可能になる。
【００３０】
（構成−保守扉）
図１に示す保守扉３は、筐体１に設けられている開閉手段であり、具体的には、収納室１１を開閉する第２開閉扉であって、消火栓扉２と隣接する位置に設けられているものであり、例えば、図１に示すように、保守扉３の垂直方向（Ｚ軸方向）における上部（＋Ｚ方向）において水平方向（Ｘ軸方向）に沿っている保守扉用軸部材３１を回動軸として回動して開閉するように構成されているものである。また、この保守扉３は、例えば、全体として矩形の平板形状を呈している金属製の部材であり、より詳細には、図３に示すように、当該保守扉３における下側（−Ｚ方向）の端部に傾斜部３２を備える。傾斜部３２は、保守扉３が開くのを規制するための規制手段であり、具体的には、消火栓扉２及び保守扉３を閉じた場合に、消火栓扉２の一部と重なり合う保守扉３の一部である。この傾斜部３２は、消火栓扉２の傾斜部２２と重なり合う形状であれば任意の形状となるように構成することができるが、例えば、図３に示すように、傾斜部３２における下側（−Ｚ方向）に移動するにつれて、当該傾斜部３２における表側（−Ｙ方向）の面が当該傾斜部３２の裏側（＋Ｙ方向）の面に近づくように、当該表側の面のみが傾斜する形状となるように構成することもできる。
【００３１】
そして、保守扉３の傾斜部３２をこのように構成し、且つ、消火栓扉２の傾斜部２２を前述のように構成することにより、消火栓扉２及び保守扉３を閉じた場合に、消火栓装置１００の正面側（−Ｙ方向）を平にすることができるので、統一感を演出して意匠性を向上させたり、又は、消火栓装置１００の正面側に塵埃が溜まるのを防止して、消火栓装置１００の内部に塵埃が入り込むのを防止したりすることが可能になる。
【００３２】
（構成−防災機器）
図２に示す防災機器４は、防災のために用いられる防災手段であり、具体的には、給水バルブ４１、消火用ホース４２、及びホース取付口４３を備えている。給水バルブ４１は、消火用の水を消火栓装置１００の外部から内部に供給するためのバルブである。消火用ホース４２は、給水バルブ４１を介して供給された水を消火のために出力するためのホースである。ホース取付口４３は、前述の消火用ホース４２とは別のホース（例えば、消防隊員等のための専用ホース）を接続するための取付口である。
【００３３】
（構成−第１維持部）
図３に示す第１維持部５、６は、消火栓扉２及び保守扉３を閉じた場合に、閉じた状態（つまり、図２の収納室１１に対する閉鎖状態）を維持するための第１閉鎖状態維持手段であり、具体的には、消火栓扉２及び保守扉３が閉じた状態を磁力を用いて維持する種類のものである。
【００３４】
図３に示す第１維持部５は、例えば、消火栓扉側磁性体５１、保守扉側磁性体５２、及び筐体側磁性体５３を備えている。図４は、消火栓装置１００の図であり、（ａ）は図３における消火栓装置１００の一部のＡ−Ａ矢視断面図であり、（ｂ）は図４（ａ）の消火栓扉側係合体７１及び保守扉側係合体７２を＋Ｚから−Ｚに向かって見た平面図である。
【００３５】
ここで、「磁性体」とは、磁場の中に置くと磁化する物質であり、磁場から取り除いた場合に比較的短時間で磁化された状態から磁化されていない状態に戻る、例えば鉄等の金属、及び、磁場から取り除いた場合に比較的長期間にわたって磁化された状態を維持する、例えばフェライト磁石等の永久磁石を含む概念である。そして、図４（ａ）に示す消火栓扉側磁性体５１、保守扉側磁性体５２、及び筐体側磁性体５３については、筐体側磁性体５３に対して消火栓扉側磁性体５１及び保守扉側磁性体５２が吸着する構成である限りにおいて、これらの磁性体として前述の金属又は永久磁石のいずれかとして構成することができるが、ここでは、例えば、消火栓扉側磁性体５１、保守扉側磁性体５２、及び筐体側磁性体５３を永久磁石として構成する場合について説明する。図４（ａ）に示す消火栓扉側磁性体５１、保守扉側磁性体５２、及び筐体側磁性体５３は、消火栓扉２及び保守扉３が閉じた状態を維持できるように、消火栓扉側磁性体５１と筐体側磁性体５３とが互いに引き合い、保守扉側磁性体５２と筐体側磁性体５３とが互いに引き合うように構成（具体的には、磁化）されているものである。具体的には、消火栓扉側磁性体５１は、消火栓扉２側に設けられている第１磁性体であり、例えば、消火栓扉２における裏側（＋Ｙ方向）の面に、例えば接着剤又はネジ等の固定手段を用いて固定されているものである。また、保守扉側磁性体５２は、保守扉３側に設けられている第１磁性体であり、例えば、保守扉３における裏側（＋Ｙ方向）の面に、例えば接着剤又はネジ等の固定手段を用いて固定されているものである。また、筐体側磁性体５３は、筐体１側に設けられている第２磁性体であり、例えば、筐体１の一部である取付部１２における表側（−Ｙ方向）の面に、例えば接着剤又はネジ等の固定手段を用いて固定されているものである。
【００３６】
図３に示す第１維持部６は、例えば、消火栓扉側磁性体６１、保守扉側磁性体６２、及び筐体側磁性体６３を備えている。そして、これらの消火栓扉側磁性体６１、保守扉側磁性体６２、及び筐体側磁性体６３の構成は各々、消火栓扉側磁性体５１、保守扉側磁性体５２、及び筐体側磁性体５３の構成と同様であるものとする。
【００３７】
（構成−第２維持部）
図３に示す第２維持部７は、消火栓扉２を閉じた場合に、閉じた状態（つまり、図２の収納室１１に対する閉鎖状態）を維持するための第２閉鎖状態維持手段であり、具体的には、前述の第１維持部５、６とは異なる種類のものであって、消火栓扉２が閉じた状態を係合力を用いて維持する種類のものである。この図３に示す第２維持部７は、例えば、消火栓扉側係合体７１（複数種類の閉鎖状態維持手段の一部の部品）、及び保守扉側係合体７２（複数種類の閉鎖状態維持手段の他の一部の部品）を備えている。
【００３８】
図４（ａ）に示す消火栓扉側係合体７１、及び保守扉側係合体７２は、消火栓扉２及び保守扉３が閉じた状態を維持できるように、消火栓扉側係合体７１と保守扉側係合体７２とが互いに係合するように構成されているものである。
【００３９】
消火栓扉側係合体７１について具体的には、消火栓扉２側に設けられている第１係合体であり、例えば、消火栓扉２の傾斜部２２に、例えば接着剤又はネジ等の固定手段を用いて固定されているものである。更に具体的には、この消火栓扉側係合体７１は、図４（ｂ）に示すように、全体として保守扉側係合体７２と係合する形状を呈している部材であり、より詳細には、先端部７１１、及び固定部７１２を備えている。
【００４０】
先端部７１１は、後述する保守扉側係合体７２の受部７２１と係合する部分であり、例えば、上側（＋Ｚ方向）から下側（−Ｚ方向）に向かって見た状態において円形となるように構成されている部分である。
【００４１】
固定部７１２は、先端部７１１を消火栓扉２の傾斜部２２に取り付けて固定するための部分である。
【００４２】
保守扉側係合体７２について具体的には、保守扉３側に設けられている係合体であり、特に、保守扉３を閉じた状態においては筐体１側に設けられていることになる第２係合体であり、例えば、保守扉３の傾斜部３２に、例えば接着剤又はネジ等の固定手段を用いて固定されているものである。更に具体的には、この保守扉側係合体７２は、図４（ｂ）に示すように、全体として消火栓扉側係合体７１と係合する形状を呈している部材であり、より詳細には、受部７２１、及び固定部７２２を備えている。
【００４３】
受部７２１は、消火栓扉側係合体７１の先端部７１１と係合する部分であり、例えば、上側（＋Ｚ方向）から下側（−Ｚ方向）に向かって見た状態において、隙間７２１Ａに対応する一部が欠けているドーナツ形状となるように構成されている部分である。この受部７２１は、例えば、当該受部７２１を弾性変形できるように構成されており、当該受部７２１に力を加えない状態において、受部７２１における隙間７２１Ａの幅ｄ１が消火栓扉側係合体７１の先端部７１１の外径ｄ２よりも短くなり、且つ、受部７２１の内径ｄ３が当該先端部７１１の外径ｄ２よりも長くなるように構成されているものとする。図５は、消火栓扉２を閉じた状態の消火栓装置１００の図であり、（ａ）は図４（ａ）に対応する断面図であり、（ｂ）は図４（ｂ）に対応する平面図である。そして、前述のように、隙間７２１Ａの幅ｄ１が先端部７１１の外径ｄ２よりも短くなり、且つ、受部７２１の内径ｄ３が当該先端部７１１の外径ｄ２よりも長くなるように構成されているので、図５（ｂ）に示すように、消火栓扉側係合体７１と保守扉側係合体７２とが互いに係合した場合に、消火栓扉側係合体７１の先端部７１１と保守扉側係合体７２の受部７２１との間に、遊び部７３が形成されることになる。ここで、「遊び部」７３とは、消火栓扉側係合体７１と保守扉側係合体７２とが互いに係合した場合（つまり、消火栓扉側係合体７１の先端部７１１が保守扉側係合体７２の受部７２１の内側に入れられた場合）に、先端部７１１と受部７２１との間に設けられる隙間であり、受部７２１の内側において先端部７１１を奥行方向（Ｙ軸方向）に移動（遊動）可能にするものである。
【００４４】
固定部７２２は、受部７２１を保守扉３の傾斜部３２に取り付けて固定するための部分である。
【００４５】
（扉の開閉）
次に、このように構成される消火栓装置１００の各扉の開閉について説明する。ここでは、後述の閉鎖状態において、消火栓装置１００のユーザが、消火栓扉２及び保守扉３を開き、この後に、消火栓扉２及び保守扉３を閉じることにより、再び閉鎖状態にする場合について説明する。ここで、「閉鎖状態」とは、消火栓扉２及び保守扉３が閉じている状態であり、具体的には、図３の消火栓扉側磁性体５１及び保守扉側磁性体５２と筐体側磁性体５３とが、図５（ａ）に示すように互いに引き合って互いに当接し、且つ、図３の消火栓扉側磁性体６１及び保守扉側磁性体６２と筐体側磁性体６３とも、同様にして互いに引き合って互いに当接し、且つ、消火栓扉側係合体７１と保守扉側係合体７２とが互いに係合している状態である。
【００４６】
（扉の開閉−消火栓扉の開放）
まず、消火栓装置１００のユーザは、図１の把手２３を図１の紙面手前側に引っ張ることにより、図５（ａ）に示すように、矢印Ｆ１が指し示す方向への移動力を消火栓扉２に対して付与する。ここで、「移動力」とは、消火栓扉２又は保守扉３の位置を移動させるための力であり、具体的には、これら消火栓扉２又は保守扉３を回動して開閉するための力である。消火栓扉２は、この付与された移動力によって、消火栓扉側磁性体５１と筐体側磁性体５３とが互いに引き合う吸引力に抗して、矢印Ｆ１が指し示す方向に移動する。この場合、図５（ｂ）に示す前述の遊び部７３が形成されているので、消火栓扉側係合体７１と保守扉側係合体７２とが互いに外れる前に、図３の消火栓扉側磁性体５１、６１が筐体側磁性体５３、６３から離れる。この後、当該移動力を与え続けることにより、消火栓扉２が図５（ａ）の矢印Ｆ１が指し示す方向に更に移動した場合、図５（ｂ）の消火栓扉側係合体７１の先端部７１１が、保守扉側係合体７２の受部７２１の内側から隙間７２１Ａ付近において当該受部７２１に当接することにより、図４（ｂ）に示した受部７２１の隙間７２１Ａの幅ｄ１が広く（長く）なるように、図５（ｂ）の受部７２１が弾性変形することになる。そして、図５（ｂ）の消火栓扉側係合体７１の先端部７１１は、図４（ｂ）に示すように、受部７２１の隙間７２１Ａを介して、受部７２１から外れることになる。つまり、消火栓扉２の閉鎖状態が段階的に解除されることになる。この後、消火栓扉２が開いて、図２の収納室１１における下側（−Ｚ方向）の一部が露出し、消火栓装置１００のユーザは、例えば消火用ホース４２を利用することが可能になる。この場合、消火栓扉２は、例えば自重により、開いた状態が維持される。
【００４７】
（扉の開閉−保守扉の開放）
次に、消火栓扉２が開いている状態において、消火栓装置１００のユーザは、図４（ａ）に示すように、矢印Ｆ２が指し示す方向への移動力を保守扉３に対して付与する。保守扉３は、この付与された移動力によって、図３の保守扉側磁性体５２、６２と筐体側磁性体５３、６３とが互いに引き合う吸引力に抗して、図４（ａ）の矢印Ｆ２が指し示す方向に移動する。この場合、前述したように、消火栓扉２が開いている状態となっており、図３の保守扉３の傾斜部３２が、消火栓扉２の傾斜部２２に当たらないので、保守扉側磁性体５２、６２が筐体側磁性体５３、６３から離れて、保守扉３は、図４（ａ）のＦ２が指し示す方向に移動することになる。この後、当該移動力を与え続けることにより、保守扉３も開いて、図２の収納室１１における上側（＋Ｚ方向）の一部も露出し、収納室１１の全体が露出することになる。この後、例えば所定の止め具（例えば、ステー）等を用いて、保守扉３の開いた状態を維持できる。
【００４８】
（扉の開閉−保守扉の閉鎖）
次に、消火栓扉２が開いている状態において、前述の所定の止め具を取り外した場合、消火栓扉２は、自重により図４のＦ３が指し示す方向に移動する。この場合、前述したように、消火栓扉２が開いている状態となっており、図３の保守扉３の傾斜部３２が、消火栓扉２の傾斜部２２に当たらないので、保守扉３は、図４（ａ）のＦ３が指し示す方向に確実に移動することになる。この後、図３の保守扉側磁性体５２、６２と筐体側磁性体５３、６３とが互いに引き合う吸引力によって、保守扉側磁性体５２、６２が筐体側磁性体５３、６３に吸着（当接）して、保守扉３が閉じた状態が維持される。
【００４９】
（扉の開閉−消火栓扉の閉鎖）
次に、消火栓装置１００のユーザは、重力に抗する方向（つまり、上側（＋Ｚ方向））への移動力を、開いている状態の消火栓扉２に対して付与する。消火栓扉２は、この付与された移動力によって、図４（ａ）のＦ４が指し示す方向に移動する。この後、移動力を与え続けて、消火栓扉２が矢印Ｆ４が指し示す方向に更に移動した場合、図４（ｂ）の消火栓扉側係合体７１の先端部７１１が、保守扉側係合体７２の受部７２１の外側から隙間７２１Ａ付近において当該受部７２１に当接することにより、図４（ｂ）に示した受部７２１の隙間７２１Ａの幅ｄ１が広く（長く）なるように、受部７２１が弾性変形することになる。そして、消火栓扉側係合体７１の先端部７１１は、図５（ｂ）に示すように、受部７２１の隙間７２１Ａを介して、受部７２１の内部に入り込んで係合することになる。この後、図３の消火栓扉側磁性体５１、６１と筐体側磁性体５３、６３とが互いに引き合う吸引力によって、消火栓扉側磁性体５１、６１が筐体側磁性体５３、６３に吸着（当接）して、消火栓扉２が閉じた状態が維持される（つまり、閉鎖状態が維持される）。
【００５０】
（外力の消火栓扉へ影響）
次に、閉鎖状態となっている消火栓装置１００の消火栓扉２への外力の影響について説明する。ここで、「外力」とは、消火栓装置１００の外部から消火栓扉２に付与される力であって、消火栓扉２の開閉を意図していない力であり、具体的には、消火栓装置１００の設置位置の環境に基づいて付与される力である。ここでは、例えば、消火栓装置１００がトンネル内に設置されており、トンネルを通過する車両からの風圧に基づく力が、消火栓扉２を開く方向への外力として消火栓装置１００に付与される場合について説明する。
【００５１】
この外力が消火栓扉２に付与された場合、図５（ｂ）の遊び部７３の範囲内において消火栓扉２が僅かに移動して、保守扉側磁性体５２、６２が筐体側磁性体５３、６３から離れることがある。この場合、消火栓扉側係合体７１の先端部７１１が、保守扉側係合体７２の受部７２１の内部において、当該受部７２１に引っ掛かることになるので、消火栓扉２が開くのが防止される。そして、保守扉側磁性体５２、６２が筐体側磁性体５３、６３から離れた後、保守扉側磁性体５２、６２と筐体側磁性体５３、６３との間の吸引力により、保守扉側磁性体５２、６２が筐体側磁性体５３、６３に対して再び吸着（当接）する（つまり、外力が付与される前の状態に復旧する）ことになる。つまり、消火栓装置１００においては、付与させる外力によって、消火栓装置１００のユーザの意図に反して消火栓扉２が開くのを防止することが可能になる。
【００５２】
（実施の形態の効果）
このように本実施の形態の消火栓装置１００によれば、消火栓扉２の閉鎖状態を維持するための維持部（例えば、第１維持部５、６、第２維持部７）を複数種類備えているので、例えば、各維持部が消火栓扉２の閉鎖状態を維持することができる力の合計の大きさに相当する外力に対応することができ、消火栓扉２の閉鎖状態を確実に維持することが可能になる。また、複数種類の維持部（例えば、第１維持部５、６、第２維持部７）は、消火栓扉２の閉鎖状態を段階的に解除するように構成されているので、例えば、消火栓扉２を開くために、各維持部が消火栓扉２の閉鎖状態を維持することができる力の合計の大きさに対応する力を一度にかけずに、当該合計の大きさよりも小さな力を用いて、消火栓扉２を開くことができ、マニュアル操作により容易に開くことが可能になる。
【００５３】
また、消火栓装置１００によれば、消火栓扉側磁性体５１、６１及び筐体側磁性体５３、６３を有する第１維持部５、６を備えているので、例えば、消火栓扉側磁性体５１、６１と筐体側磁性体５３、６３との間の磁力により、消火栓扉２の閉鎖状態を確実に維持することが可能になる。
【００５４】
また、消火栓装置１００によれば、消火栓扉側係合体７１及び保守扉側係合体７２を有する第２維持部７を備えているので、例えば、消火栓扉側係合体７１と保守扉側係合体７２との間の係合（つまり、引掛り）により、消火栓扉２の閉鎖状態を確実に維持することが可能になる。
【００５５】
また、消火栓装置１００によれば、消火栓扉側磁性体５１、６１と筐体側磁性体５３、６３とが互いに離れた後に、消火栓扉側係合体７１と保守扉側係合体７２とが互いに外れるように構成されているので、例えば、外力が付与されて、消火栓扉側磁性体５１、６１と筐体側磁性体５３、６３とが互いに離れた場合においても、消火栓扉側係合体７１と保守扉側係合体７２との間の係合により、消火栓扉２の閉鎖状態を維持することが可能になり、また、付与された前述の外力が取り除かれた後、消火栓扉側磁性体５１、６１及び筐体側磁性体５３、６３の間の磁力によって前述の外力が付与される前の状態（つまり、消火栓扉側磁性体５１、６１及び筐体側磁性体５３、６３が互いに当接している状態）に自動的に復旧させることが可能になる。
【００５６】
また、消火栓装置１００によれば、消火栓扉２を開いている場合にのみ保守扉３を開閉できるように構成されているので、例えば、消火栓扉２及び保守扉３の双方が閉じている場合において消火栓扉２の閉鎖状態を維持することにより、保守扉３の閉鎖状態も維持することができ、消火栓扉２の閉鎖状態と共に保守扉３の閉鎖状態も維持することが可能になる。
【００５７】
また、消火栓装置１００によれば、消火栓扉２及び保守扉３は、一部が互いに重なり合うように設けられているので、例えば、当該重なり合う部分である傾斜部２２及び傾斜部３２同士を当接させることにより、消火栓扉２及び保守扉３の双方が閉じている場合において保守扉３が開かれるのを規制することができ、消火栓扉２の閉鎖状態と共に保守扉３の閉鎖状態も維持することが可能になる。
【００５８】
また、消火栓装置１００によれば、消火栓扉２を開閉するための把手２３が、消火栓扉２における消火栓扉側係合体７１が設けられている位置に対応する位置に設けられているので、例えば、消火栓装置１００のユーザが把手２３を用いて消火栓扉２を意図的に開閉する場合に、消火栓扉側係合体７１と保守扉側係合体７２を互いに係合したり外したりするための力を確実に伝達することができ、消火栓扉２をスムーズに開閉することが可能になる。
【００５９】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００６０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来の装置よりも防災性又は利便性を向上できない場合であっても、従来の装置と同程度の防災性又は利便性を従来の装置とは異なる本願発明の装置によって達成できている場合には、本願発明の課題が解決されている。
【００６１】
（分散や統合について）
また、上述した各構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。
【００６２】
（形状、数値、構造、時系列について）
また、実施の形態や図面において例示した構成要素に関して、形状、数値、又は複数の構成要素の構造若しくは時系列の相互関係については、本発明の技術的思想の範囲内において、任意に改変及び改良することができる。
【００６３】
（傾斜部の省略について）
また、上記実施の形態においては、図３の消火栓扉２に傾斜部２２が設けられており、保守扉３に傾斜部３２が設けられている場合に説明したが、これに限られない。例えば、以下に示すように、傾斜部２２、３２を省略してもよい。図６は、変形例に係る消火栓装置の一部の斜視図である。なお、図６に示す消火栓装置８００は、実施の形態における図３の消火栓装置１００において、消火栓扉２及び保守扉３を消火栓扉８及び保守扉９に変更したものであり、当該変更点以外における消火栓装置８００の構成は、消火栓装置１００の構成と略同一であり、図３に示す構成と略同一の構成について図６において同一の符号を付して、その説明を省略する。図６に示すように、消火栓装置８００の消火栓扉８、及び保守扉９を、図３に示す傾斜部２２、３２を省略して構成してもよい。この場合、図６の保守扉９に取付片９１を設けて、当該取付片９１に保守扉側係合体７２を設けると共に、消火栓扉８における当該消火栓扉８を閉じた場合に保守扉側係合体７２と対向する位置に消火栓扉側係合体７１を設けるものとする。ここで、「取付片」９１とは、保守扉側係合体７２が取り付けられる取付手段であり、具体的には、保守扉９の下側の端部（−Ｚ方向）から下側（−Ｚ方向）に向かって突出するように構成されているものである。そして、このように構成した消火栓装置８００においては、保守扉９を閉じた場合において消火栓扉８を閉じた場合、取付片９１に取り付けられている保守扉側係合体７２が、消火栓扉８の消火栓側係合体７１に当接することにより、保守扉９のみを開閉するのが規制されることになる。
【００６４】
（把手について（その１））
また、上記実施の形態においては、図３の把手２３が消火栓扉２に固定して設けられている場合に説明したが、これに限られない。例えば、以下に示すように、把手を移動式にして、磁力のみを用いて閉鎖状態を維持してもよい。図７は、変形例に係る消火栓装置の一部の斜視図である。図８は、消火栓扉を閉じた状態の消火栓装置の一部の断面図であり、図７における消火栓装置１００ａの消火栓扉２を閉じた状態のＢ−Ｂ矢視断面図である。なお、図７及び図８に示す消火栓装置１００ａは、実施の形態における図３の消火栓装置１００において、把手２３及び第２維持部７を把手２３ａ及び維持部７ａに変更したものであり、当該変更点以外における消火栓装置１００ａの構成は、消火栓装置１００の構成と略同一であり、図３に示す構成と略同一の構成について図７及び図８において同一の符号を付して、その説明を省略する。図７及び図８に示すように、消火栓装置１００ａは、把手２３ａ、及び維持部７ａを備える。
【００６５】
まず、図８の把手２３ａは、消火栓扉２を開閉するための開閉手段であって、消火栓扉２に対して移動可能に取り付けられるものであり、具体的には、消火栓扉２において表側（−Ｙ方向）から裏側（＋Ｙ方向）わたって貫通している貫通孔２１ａに設けられるものである。把手２３ａは、把手部材２３１ａ、留具２３２ａ、及び消火栓扉側磁性体２３３ａ（複数種類の閉鎖状態維持手段の一部の部品）を備える。把手部材２３１ａは、消火栓扉２を開閉するためにユーザによって操作される操作手段であり、例えば、全体としてＦ字形状の部材であり、より詳細には、奥行方向（Ｙ軸方向）に沿って延びており、貫通孔２１ａに挿通される部分と、表側（−Ｙ方向）において下側（−Ｚ方向）に向かって延びており、持ち手として機能する部分とにより構成されている。また、留具２３２ａは、把手部材２３１ａの移動を規制する規制手段であり、例えば、貫通孔２１ａよりも大径の部材である。また、消火栓扉側磁性体２３３ａは、把手部材２３１ａの移動を規制する規制手段であり、また、維持部７ａの一部として機能する維持手段であり、例えば、貫通孔２１ａよりも大径の部材である。
【００６６】
また、維持部７ａは、消火栓扉２を閉じた場合に、閉じた状態を維持するための閉鎖状態維持手段であり、具体的には、消火栓扉２が閉じた状態を磁力を用いて維持する種類のものであり、消火栓扉側磁性体２３３ａ、及び保守扉側磁性体５３ａ（複数種類の閉鎖状態維持手段の他の一部の部品）を備える。消火栓扉側磁性体２３３ａ、及び保守扉側磁性体５３ａは、消火栓扉２が閉じた状態を維持できるように、消火栓扉側磁性体２３３ａと保守扉側磁性体５３ａとが互いに引き合うように構成（具体的には、磁化）されているものである。具体的には、消火栓扉側磁性体２３３ａは、消火栓扉２側に設けられている第１磁性体であり、例えば、把手部材２３１ａにおける裏側（＋Ｙ方向）の端部に、例えば接着剤又はネジ等の固定手段を用いて固定されているものである。また、保守扉側磁性体５３ａは、保守扉３側（つまり、保守扉３を閉じた状態において筐体側）における消火栓扉側磁性体２３３ａと対向する位置に設けられている第２磁性体であり、例えば、図３の保守扉３の保守扉側係合体７２が設けられている部分に、例えば接着剤又はネジ等の固定手段を用いて固定されているものである。
【００６７】
このように構成される図８の消火栓装置１００ａの保守扉３を閉じている場合において、消火栓扉２を閉じた場合、実施の形態において説明したように、図７の消火栓扉側磁性体５１、６１と筐体側磁性体５３、６３とが互いに引き合って互いに当接し、また、図８の保守扉側磁性体５３ａと消火栓扉側磁性体２３３ａとが互いに引き合って、把手２３ａが裏側（＋Ｙ方向）に移動して保守扉側磁性体５３ａと消火栓扉側磁性体２３３ａとが互いに当接し、更に、把手２３ａの留具２３２ａが消火栓扉２に当接する。そして、消火栓扉２の閉鎖状態が維持されることになる。
【００６８】
一方、消火栓装置１００ａの保守扉３を閉じている場合において、消火栓扉２を開く場合、ユーザによる操作により図８の把手２３ａに対して裏側（＋Ｙ方向）から表側（−Ｙ方向）に向かう移動力が付与される。この付与された移動力によって、消火栓扉側磁性体２３３ａが保守扉側磁性体５３ａから離れて表側（−Ｙ方向）に向かって移動し、消火栓扉側磁性体２３３ａが消火栓扉２の一部である当接部材２２ａに当接して、当該当接部材２２ａ（つまり、消火栓扉２における上側（＋Ｚ方向）の部分）に裏側（＋Ｙ方向）から表側（−Ｙ方向）に向かう移動力が付与される。この付与された移動力によって、図７の消火栓扉側磁性体５１、６１が筐体側磁性体５３、６３から離れて、消火栓扉２が開くことになる。つまり、消火栓扉２の閉鎖状態が段階的に解除されることになる。
【００６９】
（把手について（その２））
また、「（把手について（その１））」において説明した把手２３ａの構成を、図３の第２維持部７に適用してもよい。具体的には、図８の把手部材２３１ａにおける裏側（＋Ｙ方向）の端部を、図５（ｂ）の消火栓扉側係合体７１の如き形状として構成した上で、図８の保守扉側磁性体５３ａの代わりに図５（ｂ）の保守扉側係合体７２を設けてもよい。
【００７０】
（閉鎖状態維持手段の種類数について）
また、上記実施の形態においては、閉鎖状態維持手段として図３の第１維持部５、６と第２維持部７との２種類を用いる場合に説明したが、これに限られない。例えば、１種類のみの閉鎖状態維持手段を用いてもよいし、３種類以上の閉鎖状態維持手段を用いてもよい。３種類以上の閉鎖状態維持手段を用いる場合について具体的には、面ファスナーの如き閉鎖状態維持手段、実施の形態における図３の第１維持部５、６、及び第２維持部７を含む閉鎖状態維持手段を用いてもよい。
【００７１】
（閉鎖状態維持手段の個数について）
また、上記実施の形態においては、閉鎖状態維持手段として図３の第１維持部５、第１維持部６、及び第２維持部７の３組（３個）の閉鎖状態維持手段を用いる場合に説明したが、これに限られない。例えば、第１維持部５、６のいずれか一方と、第２維持部７との２組（２個）の閉鎖状態維持手段を用いてもよいし、４組（４個）以上の閉鎖状態維持手段を用いてもよい。
【００７２】
（維持部の位置について）
また、上記実施の形態においては、図３のＸ軸において第１維持部５、６の間に第２維持部７が設けられる場合に説明したが、これに限られない。例えば、第１維持部５、６に含まれる各磁性体、及び第２維持部７に含まれる各係合体を、消火栓扉２の任意の位置と、筐体１又は保守扉３の任意の位置とに設けてもよい。
【００７３】
（第１維持部について）
また、上記実施の形態においては、図４（ａ）の消火栓扉側磁性体５１、保守扉側磁性体５２、及び筐体側磁性体５３を設ける場合に説明したが、これに限られない。例えば、筐体１、消火栓扉２、及び保守扉３が金属製である点に着目し、消火栓扉側磁性体５１及び保守扉側磁性体５２と、筐体側磁性体５３とのうちのいずれか一方の磁性体を省略し、省略していない他方の磁性体の磁力を用いて吸着させることにより、消火栓扉２及び保守扉３の閉鎖状態を維持してもよい。
【００７４】
（第２維持部について）
また、上記実施の形態においては、図４（ｂ）の消火栓扉側係合体７１を消火栓扉２に設けて、保守扉側係合体７２を保守扉３に設ける場合に説明したが、これに限られない。例えば、これらの係合体を入れ替えて、消火栓扉側係合体７１を保守扉３に設けて、保守扉側係合体７２を消火栓扉２に設けてもよい。
【００７５】
（消火栓装置の扉について）
また、上記実施の形態においては、図３の消火栓装置１００に消火栓扉２及び保守扉３が設けられている場合について説明したが、これに限られない。例えば、消火栓扉２のみによって図２の収納室１１の全体を開閉できるように消火栓扉２を構成した上で、保守扉３を省略してもよい。この場合、図３の第１維持部５、６については、これらに含まれる各磁性体が消火栓扉２及び筐体１に設けられるように構成し、図３の第２維持部７については、これらに含まれる各係合体が消火栓扉２及び筐体１に設けられるように構成してもよい。
【００７６】
（遊び部について）
また、上記実施の形態においては、図５（ｂ）の消火栓扉側係合体７１の先端部７１１と保守扉側係合体７２の受部７２１との間に、遊び部７３を形成する場合について説明したが、これに限られない。例えば、図４（ｂ）における先端部７１１の外径ｄ２と、受部７２１の内径ｄ３とを、ほぼ同様な大きさにすることにより、前述の遊び部７３を省略してもよい。
【００７７】
（第１維持部と第２維持部との関係について）
また、上記実施の形態においては、消火栓扉２を開く場合に、図３の消火栓扉側磁性体５１、６１が筐体側磁性体５３、６３から離れた後に、消火栓扉側係合体７１と保守扉側係合体７２とが互いに外れるように、第１維持部５、６及び第２維持部７を構成する場合について説明したが、これに限られない。例えば、消火栓扉２が付与される力に基づいて僅かに撓むように当該消火栓扉２の剛性を下げた上で、第１維持部５、６の各磁性体の磁力を強めることにより、消火栓扉２を開く場合に、消火栓扉側係合体７１と保守扉側係合体７２とが互いに外れた後に、消火栓扉側磁性体５１、６１が筐体側磁性体５３、６３から離れるように、第１維持部５、６及び第２維持部７を構成してもよい。
【００７８】
（磁性体について）
また、上記実施の形態においては、図４（ａ）に示す消火栓扉側磁性体５１、保守扉側磁性体５２、及び筐体側磁性体５３を永久磁石として構成する場合について説明したが、これに限られない。例えば、消火栓扉側磁性体５１、及び保守扉側磁性体５２を永久磁石として構成し、且つ、筐体側磁性体５３を金属として構成してもよく、消火栓扉側磁性体５１、及び保守扉側磁性体５２を金属として構成し、且つ、筐体側磁性体５３を永久磁石として構成してもよい（変形例において同様とする）。
【００７９】
（係合体について）
また、上記実施の形態の図５（ｂ）の消火栓扉側係合体７１、及び保守扉側係合体７２の少なくとも一方を磁化して永久磁石として構成することにより、消火栓扉側係合体７１、及び保守扉側係合体７２が磁力を用いて互いに吸着するように構成してもよい。また、上記実施の形態の図３の第１維持部５、６の代わりに、第２維持部７と同様な構成の維持部を設けてもよい。この場合、例えば、各維持部について、図５（ｂ）の遊び部７３の大きさを互いに異ならせることにより、消火栓扉２の閉鎖状態が段階的に解除されるように構成してもよい。
【００８０】
（磁性体の省略について）
また、上記実施の形態の保守扉３の閉鎖状態が消火栓扉２によって維持されることを考慮して、図３の保守扉側磁性体５２、６２を省略してもよい。
【００８１】
（把手の位置について）
また、上記実施の形態においては、図３の把手２３を、第２維持部７が設けられている位置に対応する位置に設ける場合について説明したが、これに限られない。例えば、把手２３を、第１維持部５、６のうちの一方のみに対応する位置に１つのみ設けてもよいし、第１維持部５、６の両方に対応する位置に合計２つ設けてもよいし、第１維持部５、６、又は第２維持部７に対応する位置に合計複数個設けてもよい。
【００８２】
（付記）
付記１の防災機器収納装置は、防災機器を収納する収納室を有する筐体と、前記収納室を開閉するために前記筐体に設けられている第１開閉扉と、前記第１開閉扉を閉じた場合に、前記収納室に対する前記第１開閉扉の閉鎖状態を維持するための複数種類の閉鎖状態維持手段とを備え、前記複数種類の閉鎖状態維持手段は、前記第１開閉扉の閉鎖状態を段階的に解除するように構成されている。
【００８３】
付記２の防災機器収納装置は、付記１に記載の防災機器収納装置において、前記複数種類の閉鎖状態維持手段は、前記第１開閉扉側に設けられている第１磁性体と、前記筐体側に設けられている第２磁性体であって、前記第１開閉扉を閉じた場合に、前記第１磁性体と引き合って当該第１磁性体に当接することにより前記第１開閉扉の閉鎖状態を維持する前記第２磁性体とを有する第１閉鎖状態維持手段、を少なくとも備える。
【００８４】
付記３の防災機器収納装置は、付記１又は２に記載の防災機器収納装置において、前記第１開閉扉側に設けられている第１係合体と、前記筐体側に設けられている第２係合体であって、前記第１開閉扉を閉じた場合に、前記第１係合体と係合することにより前記第１開閉扉の閉鎖状態を維持する前記第２係合体とを有する第２閉鎖状態維持手段、を少なくとも備える。
【００８５】
付記４の防災機器収納装置は、付記１に記載の防災機器収納装置において、前記複数種類の閉鎖状態維持手段は、前記第１開閉扉側に設けられている第１磁性体と、前記筐体側に設けられている第２磁性体であって、前記第１開閉扉を閉じた場合に、前記第１磁性体と引き合って当該第１磁性体に当接することにより前記第１開閉扉の閉鎖状態を維持する前記第２磁性体とを有する第１閉鎖状態維持手段と、前記第１開閉扉側に設けられている第１係合体と、前記筐体側に設けられている第２係合体であって、前記第１開閉扉を閉じた場合に、前記第１係合体と係合することにより前記第１開閉扉の閉鎖状態を維持する前記第２係合体とを有する第２閉鎖状態維持手段と、を備え、前記第１閉鎖状態維持手段及び前記第２閉鎖状態維持手段は、前記第１開閉扉を閉じた状態において、前記第１開閉扉を開く場合に、前記第１磁性体と前記第２磁性体とが互いに離れた後に、前記第１係合体と前記第２係合体とが互いに外れるように構成されている。
【００８６】
付記５の防災機器収納装置は、付記１から４のいずれか一項に記載の防災機器収納装置置において、前記筐体における前記第１開閉扉と隣接する位置に設けられている第２開閉扉、を備え、前記第２開閉扉は、前記第１開閉扉を開いている場合にのみ開閉できるように構成されている。
【００８７】
付記６の防災機器収納装置は、付記５に記載の防災機器収納装置において、前記第１開閉扉及び前記第２開閉扉は、一部が互いに重なり合うように設けられており、前記複数種類の閉鎖状態維持手段の一部の部品は、、前記第１開閉扉における前記第２開閉扉と重なり合う部分に設けられており、前記複数種類の閉鎖状態維持手段の他の一部の部品は、前記第２開閉扉における前記第１開閉扉と重なり合う部分に設けられている。
【００８８】
付記７の防災機器収納装置は、付記１から６のいずれか一項に記載の防災機器収納装置において、前記第１開閉扉を開閉するための把手、を備え、前記把手は、前記複数種類の閉鎖状態維持手段における１つの閉鎖状態維持手段が設けられている位置に対応する位置に設けられている。
【００８９】
（付記の効果）
付記１に記載の防災機器収納装置によれば、第１開閉扉の閉鎖状態を維持するための閉鎖状態維持手段を複数種類備えているので、例えば、各閉鎖状態維持手段が開閉扉の閉鎖状態を維持することができる力の合計の大きさに相当する外力に対応することができ、第１開閉扉の閉鎖状態を確実に維持することが可能になる。また、複数種類の閉鎖状態維持手段は、第１開閉扉の閉鎖状態を段階的に解除するように構成されているので、例えば、第１開閉扉を開くために、各閉鎖状態維持手段が開閉扉の閉鎖状態を維持することができる力の合計の大きさに対応する力を一度にかけずに、当該合計の大きさよりも小さな力を用いて、消火栓装置の開閉扉を開くことができ、マニュアル操作により容易に開くことが可能になる。
【００９０】
付記２に記載の防災機器収納装置によれば、複数種類の閉鎖状態維持手段が、第１磁性体及び第２磁性体を有する第１閉鎖状態維持手段を備えているので、例えば、１磁性体と第２磁性体との間の磁力により、第１開閉扉の閉鎖状態を確実に維持することが可能になる。
【００９１】
付記３に記載の防災機器収納装置によれば、複数種類の閉鎖状態維持手段が、第１係合体及び第２係合体を有する第２閉鎖状態維持手段を備えているので、例えば、第１係合体と第２係合体との間の係合（つまり、引掛り）により、第１開閉扉の閉鎖状態を確実に維持することが可能になる。
【００９２】
付記４に記載の防災機器収納装置によれば、第１開閉扉を開く場合に、第１磁性体と第２磁性体とが互いに離れた後に、第１係合体と第２係合体とが互いに外れるように構成されているので、例えば、外力が付与されて、第１磁性体と第２磁性体とが互いに離れた場合においても、第１係合体と第２係合体との間の係合により、第１開閉扉の閉鎖状態を維持することが可能になり、また、付与された前述の外力が取り除かれた後、第１磁性体及び第２磁性体の間の磁力によって前述の外力が付与される前の状態（つまり、第１磁性体及び第２磁性体が互いに当接している状態）に自動的に復旧させることが可能になる。
【００９３】
付記５に記載の防災機器収納装置によれば、第１開閉扉を開いている場合にのみ第２開閉扉を開閉できるように構成されているので、例えば、第１開閉扉及び第２開閉扉の双方が閉じている場合において第１開閉扉の閉鎖状態を維持することにより、第２開閉扉の閉鎖状態も維持することができ、第１開閉扉の閉鎖状態と共に第２開閉扉の閉鎖状態も維持することが可能になる。
【００９４】
付記６に記載の防災機器収納装置によれば、第１開閉扉及び第２開閉扉は、一部が互いに重なり合うように設けられているので、例えば、当該重なり合う部分同士を当接させることにより、第１開閉扉及び第２開閉扉の双方が閉じている場合において第２開閉扉が開かれるのを規制することができ、第１開閉扉の閉鎖状態と共に第２開閉扉の閉鎖状態も維持することが可能になる。
【００９５】
付記７に記載の防災機器収納装置によれば、第１開閉扉を開閉するための把手が、複数種類の閉鎖状態維持手段における１つの閉鎖状態維持手段が設けられている位置に対応する位置に設けられているので、例えば、防災機器収納装置のユーザが把手を用いて第１開閉扉を意図的に開閉する場合に、第１係合体と第２係合体を互いに係合したり外したりするための力を確実に伝達することができ、第１開閉扉をスムーズに開閉することが可能になる。
【符号の説明】
【００９６】
１  筐体
２  消火栓扉
３  保守扉
４  防災機器
５  第１維持部
６  第１維持部
７  第２維持部
７ａ  維持部
８  消火栓扉
９  保守扉
１１  収納室
１２  取付部
２１  消火栓扉用軸部材
２１ａ  貫通孔
２２  傾斜部
２２ａ  当接部材
２３  把手
３１  保守扉用軸部材
３２  傾斜部
４１  給水バルブ
４２  消火用ホース
４３  ホース取付口
５１  消火栓扉側磁性体
５２  保守扉側磁性体
５３  筐体側磁性体
５３ａ  保守扉側磁性体
６１  消火栓扉側磁性体
６２  保守扉側磁性体
６３  筐体側磁性体
７１  消火栓扉側係合体
７２  保守扉側係合体
７３  遊び部
９１  取付片
１００  消火栓装置
１００ａ  消火栓装置
２３１  凹部
２３１ａ  把手部材
２３２ａ  留具
２３３ａ  消火栓扉側磁性体
７１１  先端部
７１２  固定部
７２１  受部
７２１Ａ  隙間
７２２  固定部
８００  消火栓装置
ｄ１  幅
ｄ２  外径
ｄ３  内径
Ｆ１  矢印
Ｆ２  矢印
Ｆ３  矢印
Ｆ４  矢印
【図１】
0006617037.tif 000002
【図２】
0006617037.tif 000003
【図３】
0006617037.tif 000004
【図４】
0006617037.tif 000005
【図５】
0006617037.tif 000006
【図６】
0006617037.tif 000007
【図７】
0006617037.tif 000008
【図８】
0006617037.tif 000009